(57)【要約】【課題】サッシの上端部付近に生じる隙間からのてんとう虫やヤスデ等の這う虫の侵入を防止する防虫構造を提供する。【解決手段】この防虫構造は、例えばサッシ枠２内に一対の障子３、４がスライド自在に嵌め込まれた引き違いサッシにおいて、サッシ枠２の上枠材６と障子３、４の上框材２２、２２との間の隙間３０、３１に、その隙間３０、３１を狭めて虫の侵入を防止する耐久性に優れた硬質樹脂製又は材料変形の少ない軟質樹脂製又は金属製の侵入防止部材４０、４１を設けている。【選択図】図１
2008179967.tif 000002
【特許請求の範囲】
【請求項１】
サッシ枠（２）内に障子（３）（４）がスライド自在に嵌め込まれたサッシ（１）において、前記サッシ枠（２）の上枠材（６）と前記障子（３）（４）の上框材（２２）（２２）との間の隙間（３０）（３１）に、その隙間（３０）（３１）を狭めて虫の侵入を防止する侵入防止部材（４０）（４１）を設けたことを特徴とするサッシの防虫構造。
【請求項２】
前記侵入防止部材（４０）（４１）を、前記上枠材（６）に取り付けて、この侵入防止部材（４０）（４１）と前記上框材（２２）（２２）との間に、虫の通過を阻止しながら前記障子（３）（４）のスライドを許容するクリアランス（４６）（５６）を確保した請求項１記載のサッシの防虫構造。
【請求項３】
前記侵入防止部材（４０）（４１）は、前記上枠材（６）の下面から垂下したスライド用レール材（１０）（１０）の室外側の側面にあてがいながら、前記上枠材（６）の下面に固定したブロック材からなる請求項１又は２記載のサッシの防虫構造。
【請求項４】
引き違い可能に設けた複数の障子（３）（４）の開口閉鎖位置に対応して、前記侵入防止部材（４０）（４１）を設けた請求項１乃至３のいずれかに記載のサッシの防虫構造。
【請求項５】
前記侵入防止部材（４０）（４１）は、硬質樹脂製又は材料変形の少ない軟質樹脂製又は金属製とされている請求項１乃至４のいずれかに記載のサッシの防虫構造。
【発明の詳細な説明】
【技術分野】
【０００１】
この発明は、サッシ枠内に障子がスライド自在に嵌め込まれたサッシの防虫構造に関する。
【背景技術】
【０００２】
引き違いサッシにおける防虫対策としては、網戸を設けるのが一般的である。この場合、蚊や蝿等のような飛行しながら侵入する虫に対しては有効である。ところが、てんとう虫やヤスデ等のように這う虫は、引き違いサッシの製造上発生する隙間を通って侵入することから、網戸とは別に例えば引用文献１や引用文献２にも開示されているような対策が必要となる。
【０００３】
【特許文献１】特開２００２−２２７５６４号公報
【特許文献２】特開平１１−３１５６７１号公報
【発明の開示】
【発明が解決しようとする課題】
【０００４】
しかしながら、上記の特許文献１や特許文献２にも開示されているような従来の対策では、サッシの下端部付近に生じる隙間や障子間に生じる隙間からの侵入に対しては配慮されているが、サッシの上端部付近に生じる隙間からの侵入に対しては何ら配慮がなされていなかった。
【０００５】
図６に示すように、引き違いサッシ６０の上端部においては、サッシ枠６１の上枠材６２における下向きのレール材６３、６３が障子６４、６５の上框材６６、６６におけるレール溝６７、６７に挿入されていて、障子６４、６５が開口閉鎖位置にあるときには、一見すると這う虫が入り込む余地がないように見える。ところが、例えばレール材６３、６３とレール溝６７、６７との間には、障子６４、６５をスムーズにスライドさせるためにある程度の隙間が確保されていて、このような隙間を通って這う虫が侵入する可能性があった。
【０００６】
そこで、この発明は、上記に鑑み、サッシの上端部付近に生じる隙間からの這う虫の侵入を防止するサッシの防虫構造の提供を目的とする。
【課題を解決するための手段】
【０００７】
上記課題を解決するため、この発明のサッシの防虫構造は、サッシ枠２内に障子３、４がスライド自在に嵌め込まれたサッシ１において、前記サッシ枠２の上枠材６と前記障子３、４の上框材２２、２２との間の隙間３０、３１に、その隙間３０、３１を狭めて虫の侵入を防止する侵入防止部材４０、４１を設けたことを特徴とする。
【０００８】
具体的に、前記侵入防止部材４０、４１を、前記上枠材６に取り付けて、この侵入防止部材４０、４１と前記上框材２２、２２との間に、虫の通過を阻止しながら前記障子３、４のスライドを許容するクリアランス４６、５６を確保している。
【０００９】
また、前記侵入防止部材４０、４１は、前記上枠材６の下面から垂下したスライド用レール材１０、１０の室外側の側面にあてがいながら、前記上枠材６の下面に固定したブロック材からなる。
【００１０】
さらに、引き違い可能に設けた複数の障子３、４の開口閉鎖位置に対応して、前記侵入防止部材４０、４１を設けている。さらにまた、前記侵入防止部材４０、４１は、硬質樹脂製又は材料変形の少ない軟質樹脂製又は金属製とされている。
【発明の効果】
【００１１】
この発明の防虫構造によると、サッシ枠の上枠材と障子の上框材との間の隙間を、侵入防止部材によって狭めているので、従来配慮されていなかったサッシの上端部付近に生じる隙間からの這う虫の侵入を防止することができる。
【００１２】
特に、サッシ枠の上枠材に取り付けた侵入防止部材と障子の上框材との間に、虫の通過を阻止しながら障子のスライドを許容するクリアランスを確保することで、障子のスライドに支障をきたすことなく、這う虫の侵入を防止することができる。
【００１３】
また、侵入防止部材をブロック材として、レール材の室外側の側面にあてがいながら上枠材の下面に固定することで、侵入防止部材を強固に安定して取り付けることができ、これによって侵入防止部材のがたつきや歪み等を防止して、長期に亘って安定した防虫効果を維持することができる。
【００１４】
さらに、引き違いサッシにおける各障子の開口閉鎖位置に対応して、侵入防止部材を設けることで、侵入防止部材を必要箇所にのみ有効に配置して、施工費の削減を図ることができる。
【００１５】
さらにまた、硬質樹脂製又は材料変形の少ない軟質樹脂製又は金属製の侵入防止部材を用いることで、侵入防止部材の経年劣化を抑えて長寿命化を図ることができ、長期に亘って安定した防虫効果を維持することができる。
【発明を実施するための最良の形態】
【００１６】
この発明の実施の形態について、図面を参照しつつ詳細に説明する。図１及び図２は、この発明の一実施形態に係る引き違いサッシの防虫構造を示している。この引き違いサッシ１は、図３に示すように、方形枠状のサッシ枠２と、このサッシ枠２に左右方向にスライド自在に嵌め込まれた引き違い可能な一対の障子３、４とからなっている。
【００１７】
サッシ枠２は、左右一対の縦枠材５、５と、それら縦枠材５、５の上端同士を連結する上枠材６と、同じく縦枠材５、５の下端同士を連結する下枠材７とからなっている。
【００１８】
そして、図１に示すように、上枠材６の下面には、互いに平行な一対のスライド用レール材１０、１０が下方へ向けて突設されている。また、上枠材６の下面の室外側先端には、外側化粧片１２が下方へ向けて突設され、室内側先端には、内側化粧片１３が下方へ向けて突設されている。なお、図示しないが、下枠材７の上面には、上枠材６のレール材１０、１０に対応するようにして、互いに平行な一対のスライド用レール材が立ち上がっている。
【００１９】
室外側の外障子３は、図３に示すように、方形枠状の障子枠２０と、その障子枠２０内に嵌め込まれた窓ガラス２５とからなっている。障子枠２０は、左右一対の縦框材２１、２１と、それら縦框材２１、２１の上端同士を連結する上框材２２と、同じく縦框材２１、２１の下端同士を連結する下框材２３とからなっている。
【００２０】
障子３の上框材２２には、サッシ枠２の上枠材６のレール材１０が挿入されるレール溝２５が形成されている。レール溝２５は、上方に開放する概略断面倒コ字状に形成されている。そのレール溝２５の室内側及び室外側の壁面上端部には、それぞれパッキン２６、２６が取り付けられており、これらパッキン２６、２６の先端が、レール材１０の室内側及び室外側の側面に接触している。なお、室内側の内障子４の構造も、上記の外障子３の構造と同様になっている。
【００２１】
このような引き違いサッシ１の上端部付近において、てんとう虫やヤスデ等のような虫は、サッシ枠２や障子３、４を這いながら、サッシ枠２の上枠材６と外障子３の上框材２２との間の隙間３０を通って、さらにレール材１０とレール溝２５との間の隙間をすり抜けて室内側へ侵入したり、若しくは、サッシ枠２の上枠材６と内障子４の上框材２２との間の隙間３１を通って、さらにレール材１０とレール溝２５との間の隙間をすり抜けて室内側へ侵入することがある。レール材１０、１０とレール溝２５、２５との間の隙間には、簡易的にパッキン２６・・が介在されているが、障子３、４が常時可動する構造の引き違いサッシ１のため、こすれ等によるパッキン２６、２６の劣化やめくり上がりによって虫の通路ができてしまうと、そこを通って虫が侵入するようになっている。
【００２２】
そこで、この引き違いサッシ１では、サッシ枠２の上枠材６と障子３、４の上框材２２、２２との間の隙間３０、３１に、それら隙間３０、３１を狭めて這う虫の侵入を防止する侵入防止部材４０、４１を簡易的なパッキン２６、２６とは別位置にそれぞれ設けている。
【００２３】
外障子３側の隙間３０に設ける第１の侵入防止部材４０は、図４に示すように、断面略長方形状の硬質樹脂製の長尺ブロック材からなり、外障子３の幅寸法とほぼ同じ長さを有している。この第１の侵入防止部材４０には、その長手方向に間隔をあけて複数のビス挿通孔４２・・が上下方向に貫通して形成されている。これらビス挿通孔４２・・は、図１に示すように、小径部４３と大径部４４とが上下に連通してなる。
【００２４】
そして、この第１の侵入防止部材４０は、図１に示すように、その垂直な側面をレール材１０の室外側の側面に、水平な上面を上枠材６の下面にそれぞれあてがいながら、ビス挿通孔４２・・へビス４５・・を下方から挿入して、そのビス４５・・の先端を上枠材６の下面にねじ込むことによって、外障子３の開口閉鎖位置に対応するように上枠材６の下面に固定されている（図２参照）。この固定状態において、それぞれのビス４５のビス頭が、ビス挿通孔４２の大径部４４内に収容されて、小径部４３と大径部４４との間の段差面に当接している。従って、第１の侵入防止部材４０を固定するためのビス４５・・のビス頭が、第１の侵入防止部材４０の下面から突出せず、これによって外障子３との干渉を避けるようにしている。
【００２５】
このようにして第１の侵入防止部材４０を設けることで、その第１の侵入防止部材４０の下面と開口閉鎖位置にある外障子３の上框材２２との間において、這う虫の通過を阻止しながら外障子３のスライドを許容する高さ２〜３ｍｍ程度の微小なクリアランス４６が確保されて、外障子３のスライドに支障をきたさないようにしながら這う虫の侵入を防止するようになっている。
【００２６】
内障子４側の隙間３１に設ける第２の侵入防止部材４１は、図５に示すように、断面略Ｌ字状の硬質樹脂製の長尺ブロック材からなり、内障子４の幅寸法よりもやや短い長さを有している。この第２の侵入防止部材４１は、断面略長方形状の横長部５０と断面略長方形状の縦長部５１とを、それらの上面が面一となるように一体的に連結してなり、その横長部５０には、長手方向に間隔をあけて複数のビス挿通孔５２・・が上下方向に貫通して形成されている。
【００２７】
そして、この第２の侵入防止部材４１は、その縦長部５１側の垂直な側面をレール材１０の室外側の側面に、水平な上面を上枠材６の下面にそれぞれあてがいながら、ビス挿通孔５２・・へビス５３・・を下方から挿入して、そのビス５３・・の先端を上枠材６の下面にねじ込むことによって、内障子４の開口閉鎖位置に対応するように上枠材６の下面に固定されている（図２参照）。なお、図２において、５４は風止め板であり、第２の侵入防止部材４１の長さを内障子４の幅寸法よりもやや短くすることで、この風止め板５４を回避して第２の侵入防止部材４１を固定している。この固定状態において、それぞれのビス５３のビス頭が、縦長部５１の下面よりも上方に位置し、これによって内障子４との干渉を避けるようにしている。
【００２８】
なお、縦長部５１の側面に係合溝を形成して、この係合溝に対してレール材１０の室外側の側面に形成した係合突起を係合させるようにすれば、第２の侵入防止部材４１をより安定して固定することができる。また、第２の侵入防止部材４１は、上枠材６の下面に設けた断熱材５５を回避してビス５３・・止めするために、上記のような形状となっているが、断熱材５５のようなビス５３・・止めの邪魔になる部材がない場合には、例えば第１の侵入防止部材４０のような形状のものを用いるようにしても良い。
【００２９】
このようにして第２の侵入防止部材４１を設けることで、その第２の侵入防止部材４１の縦長部５１の下面と開口閉鎖位置にある内障子４の上框材２２との間には、這う虫の通過を阻止しながら内障子４のスライドを許容する高さ２〜３ｍｍ程度の微小なクリアランス５６が確保されて、内障子４のスライドに支障をきたさないようにしながら這う虫の侵入を防止するようになっている。
【００３０】
なお、この発明は、上記実施形態に限定されるものではなく、この発明の範囲内で上記実施形態に多くの修正及び変更を加え得ることは勿論である。例えば、侵入防止部材を備え付けるサッシとしては、一対の障子を備えた引き違いサッシだけに限らず、一対の障子のうちの一方が固定されて他方がスライド自在とされた片開き式のものや、３枚以上の障子がスライド自在とされたものであっても良い。また、侵入防止部材は、経年劣化が少ない材質とすれば良く、よって硬質樹脂製に限らず、金属製であっても良い。また、材料変形が少なく寸法が正確に確保できれば、発泡系軟質樹脂製であっても良い。
【図面の簡単な説明】
【００３１】
【図１】この発明の一実施形態に係る引き違いサッシの上端部付近の縦断面図である。
【図２】同じくその横断面図である。
【図３】引き違いサッシの正面図である。
【図４】第１の侵入防止部材の斜視図である。
【図５】第２の侵入防止部材の斜視図である。
【図６】従来の引き違いサッシの上端部付近の縦断面図である。
【符号の説明】
【００３２】
１・・引き違いサッシ、２・・サッシ枠、３・・外障子、４・・内障子、６・・上枠材、１０・・スライド用レール材、２２・・上框材、３０、３１・・隙間、４０、４１・・侵入防止部材、４６、５６・・クリアランス
【図１】
2008179967.tif 000003
【図２】
2008179967.tif 000004
【図３】
2008179967.tif 000005
【図４】
2008179967.tif 000006
【図５】
2008179967.tif 000007
【図６】
2008179967.tif 000008